(57)【要約】【課題】  スカムの呑み込みがより長い時間帯をもって効率的になされるようにしたスカム除去装置を提供すること。【解決手段】  矩形沈澱池等の処理池内で循環駆動されるフライトの一端に作動ローラーを備え、同ローラーの水面に添った運動により蹴り上げられる一方復帰運動もする倣い部材により堰部が水面を境に浮沈運動することでスカム水排出樋にスカム水を誘引したり堰き止めたり連動させるように構成したスカム除去装置において、前記倣い部材は、平行リンク機構で支持されるとともに、同リンク機構の動きを堰部の動きに連動させるようにしたことを特徴とする。【選択図】  図２
2005066583.tif 000002
【特許請求の範囲】
【請求項１】
矩形沈澱池等の処理池内で循環駆動されるフライトの一端に作動ローラーを備え、同ローラーの水面に添った運動により蹴り上げられる一方復帰運動もする倣い部材により堰部が水面を境に浮沈運動することでスカム水排出樋にスカム水を誘引したり堰き止めたり連動させるように構成したスカム除去装置において、前記倣い部材は、平行リンク機構で支持されるとともに、同リンク機構の動きを堰部の動きに連動させるようにしたことを特徴とするスカム除去装置。
【請求項２】
矩形沈澱池等の処理池内で循環駆動されるフライトの一端に作動ローラーを備え、同ローラーの水面に添った運動により蹴り上げられる一方復帰運動もする倣い部材により堰部が水面を境に浮沈運動することでスカム水排出樋にスカム水を誘引したり堰き止めたり連動させるように構成したスカム除去装置において、前記倣い部材は、蹴り上げ後に蹴り上げ状態を保持する保持機構を備えるとともに、同保持は、倣い部材を通過後の作動ローラーに連動する解除機構により解除されるようになっていることを特徴とするスカム除去装置。
【発明の詳細な説明】
【発明の詳細な説明】
【産業上の利用分野】
【０００１】  この発明は、矩形沈澱池等の処理池に構成されるスカム除去装置に関する。
【背景技術】
【０００２】  例えば、矩形をした沈澱池においては、池内で循環運動するフライトを備え、このフライトの水面に添った運動を利用してスカム除去装置の堰の浮沈運動をさせるようにしたものがある。そのため、フライトの一端に作動ローラーを張り出し状に取り付けておき、そのローラーの動きに連動して蹴り上げられる倣い部材を池側に装備してスカム除去装置の堰を水面下に沈めるようにしたものが一般的である。
【発明が解決しようとする課題】
【０００３】  ところで、これまでの倣い部材は、１つの回転支点から作動ローラーの方向に張り出したものであったため、作動ローラーとの接触時間がどうしても短くなって堰を沈める時間も短くなり、スカムの呑み込みが効率的になされなかった。
【０００４】  この発明は前記課題を解決するためになされたもので、その目的とするところは、スカムの呑み込みがより長い時間帯をもって効率的になされるようにしたスカム除去装置を提供することにある。
【課題を解決するための手段】
【０００５】  この発明は前記課題を解決するためになされたもので、請求項１記載の発明は、矩形沈澱池等の処理池内で循環駆動されるフライトの一端に作動ローラーを備え、同ローラーの水面に添った運動により蹴り上げられる一方復帰運動もする倣い部材により堰部が水面を境に浮沈運動することでスカム水排出樋にスカム水を誘引したり堰き止めたり連動させるように構成したスカム除去装置において、前記倣い部材は、平行リンク機構で支持されるとともに、同リンク機構の動きを堰部の動きに連動させるようにしたことを特徴とする。
【０００６】  請求項２記載の発明は、矩形沈澱池等の処理池内で循環駆動されるフライトの一端に作動ローラーを備え、同ローラーの水面に添った運動により蹴り上げられる一方復帰運動もする倣い部材により堰部が水面を境に浮沈運動することでスカム水排出樋にスカム水を誘引したり堰き止めたり連動させるように構成したスカム除去装置において、前記倣い部材は、蹴り上げ後に蹴り上げ状態を保持する保持機構を備えるとともに、同保持は、倣い部材を通過後の作動ローラーに連動する解除機構により解除されるようになっていることを特徴とする。
【発明を実施するための最良の形態】
【０００７】  以下、図示した実施形態を参照してこの発明を詳細に説明する。
以下の各実施形態において説明する全ての技術は他の実施形態においても同様に適用されることがある。
図１ないし図４は、この発明の第１の実施形態を示す。この実施形態において、処理池は矩形の沈澱池１であり、左右の側壁２，２間を池幅方向として説明する。【０００８】  沈澱池１内には、図２の左側から流入してくる汚水による水面７が設定され、この水面７以下には、池幅方向に軸心が向く回転軸３が横架されている。この回転軸３は図２の左側方にもあり、また図２の下方にも２本の軸が設けられている。そして、これらの回転軸３…回りには、一対ずつのスプロケット４が配備され、これらのスプロケット４を介して池幅方向に一対のチェーン５が掛け回されて循環運動自在になっている。これらのチェーン５の外周には、一定間隔をもってフライト６が配備されて循環駆動されるようになっている。【０００９】  沈澱池１内には、前記回転軸３より下流側（図２の右側）に角型のスカム水排出樋（トラフ）８が水面７を境にして設けられている。このスカム水排出樋８は、丸型やその他の形状でもよい。同スカム水排出樋８の前側には、堰軸９回りに上下する堰１０が樋８内に斜めに向けて取り付けられてその上端の堰部が水面２より上に突き出す堰き止め状態と水面２より下がったスカム誘引状態とに切り換えられるようになっている。堰１０は、スカム水排出樋８の前側から張り出すゴム板の先端に備えることもある。【００１０】  堰１０には、同堰１０が持ち上がって復帰するように付勢するウエイト１１が設けられている。また、堰１０の上端には、レバー１２が突設されている。さらに、スカム水排出樋８の後部上には、転換シーブ１３が設けられ、シーブ１３は堰１０の一方の端部にまたレバー１２も同じ側の端部に偏寄して配置されている。レバー１２や転換シーブ１３およびウエイト１１などは図１の実線で示す配置に対称となるように配置することがある。【０００８】  一方、フライト６の一端（仮想線のように両端に設けることもある）には、作動ローラー１５が回転自在な状態でフライト６から突出するように取り付けられている。この作動ローラー１５は、水面７のレベル付近を水平に移動する。【０００９】  １６は倣い部材で、図４に示すように、平坦な長い板状部分とその前後端の反り上がった部分とでなる弓形のもので、その長手方向中間には、仮想線のように、スカム引き寄せ用の凹み１７を付加することもできる。【００１０】  倣い部材１６の上面幅間には、補強を兼ねるリンクブラケット１８が固着されている。図示では前後２片でなるが１本通しものにしてもよい。同ブラケット１８には、前後一対ずつでなる平行リンク１９が下部軸２０を介して取り付けられ、これらのリンク１９のうち後側（図４の右側）の上端は、図１のように池幅に渡るようにして横架固定した固定シャフト２１の回りに回転自在に設けられた回転パイプ２２の一端外周下部に垂下固着されている。このように池幅に渡るように固定シャフト２１を固設したうえでその外周の回転パイプ２２にリンク１９を回転支持する方式にしたので、回転支持が確固たる安定性を得るものである。【００１１】  回転パイプ２２の一端上部には、突出用切り窓２３が形成されて、固定シャフト２１に固着したコの字枠状の固定ブラケット２４を前方へ張り出し、このブラケット２４の前端に上部軸２５を介���て前方のリンク１９を回転自在に取り付けてある。尚、前記突出用切り窓２３は、回転パイプ２２が回転しても固定ブラケット２４の基部が切り窓の縁に当らないようにされている。【００１２】  そして、前記回転パイプ２２の少し池内側の外周には、連動レバー２６が突設され、同レバー２６と前記堰１０側のレバー１２との間には、転換シーブ１３を介して連動ワイヤ２７で結ばれている。ワイヤ２７は、その途中が固定のガイドパイプ２８内により案内されるようになっている。
尚、回転パイプ２２は、図４に対応する部分のみの短いものでもよい。
連動ワイヤ２７は、ロッドやパイプでもよい。
また、図１の仮想線のように、固定シャフト２４を前方にも配してもよく、この場合、前後に固定シャフト２４があるので、その上に作業台２９を載せて作業場を提供できる。
一方、前記実施形態では固定シャフト２１と回転パイプ２２および固定ブラケット２４で構成したが、前後２本の上部軸をブラケットを介して側壁２に固定する方式を採用することもできる。
尚、図４の３０はシャフトブラケットで、側壁２に取り付けられて固定シャフト２１を固定支持するものである。【００１３】  図１、図２および図４は、作動ローラー１５が倣い部材１６にさしかかる前の復帰状態を示す。この状態で、平行リンク１９，１９は垂直で倣い部材１６は水平でその平坦な板状部分が図２のように水面７および作動ローラー１５より下位にある。一方、堰１０は、ウエイト１１や倣い部材１６の重量などが作用して図２のように水面７よりも高く起き上がった堰き止め状態にある。【００１４】  そして、図２のように作動ローラー１５が倣い部材１６の前斜面に当ると倣い部材１６が後方斜め方向へ持ち上がるようになる。図３は作動ローラー１５が倣い部材１６の平坦な板状部分の底面にさしかかって持ち上げた状態を示し、この状態で、平行リンク１９は上部軸２５と固定シャフト２１の回りに持ち上がった状態となっている。それと同時に、回転パイプ２２も回転するので、連動レバー２６も前方へ回転して連動ワイヤ２７を牽くことになる。これにより、転換シーブ１３を介してレバー１２が後方へ牽かれ、堰１０はウエイト１１に抗して図３のように水面７より下がり、水面のスカム水をスカム水排出樋８内に誘引することになる。この誘引時間は、倣い部材１６の平坦な板状部分が長いことから長くなり、多くのスカムを一度の作動で誘引することができる。尚、作動ローラー１５が凹み１７にさしかかると、ウエイト１１などの復帰力で倣い部材１６が一時的に下がり、これに伴い、レバー１２および連動ワイヤ２７が緩み、堰１０が水面以下であって少し持ち上がった状態になり、その結果、誘引の上下幅が薄くなって遠くのスカムまでも引き寄せるようになる。作動ローラー１５が倣い部材１６の凹み１７を越えると、倣い部材１６は元の状態に下がり、これにより、堰１０も図３のようにより下がったスカム誘引状態に戻る。作動ローラー１６が倣い部材１６の平坦な部分を越えると、倣い部材１６が下がってくるとともに堰１０は持ち上がって堰き止め状態に復帰する。【００１５】  尚、図２の示すように、スカム水排出樋８の前方位置には、連動ワイヤ２７の往復作動性を利用して水面７を上下する掬い送り樋３１を回転支点３２回りに上下するように装備して、フライト６が水面下に潜ってスカム送り機能が乏しくなった水面でのスカムをスカム水排出樋８の方向に掬い上げて落とす作用で送り込むように構成することもできる。この場合、図１の実線では、樋３１が側壁２寄りの短いものになっているが、仮想線のように池幅全体に亘るようなものにしてもよい。樋３１は樹脂のような軽量化することもできる。
また、前記実施形態では、レバー１２にはワイヤ２７が結ばれていたが、レバー１２にシーブ３４を備えてワイヤ２７を方向転換させるとともに、スカム水排出樋８の内面に備えたアンカーブラケット３５にこのワイヤ２７の端部を結合してもよい。
さらに、図１の下部に仮想線で示すように、図２に示す倣い部材１６からレバー１２・ウエイト１１に至る一連の連動装置をフライト６の反対側においても構成することができる。このように左右に一対の連動装置を構成する場合、これら装置のうち、連動レバー２６からレバー１２（ウエイト１１を含む）までの装置構成部分については、図１のラインＺ上に寄せて配置するとバランス上好ましい。【００１６】  図５は他の実施形態を示す。側壁２からＨ型鋼などの支持ブラケット３８を張り出し固定し、同ブラケット３８から前方に固定ブラケット３９を突設することで、両ブラケット３８，３９の下部を介して平行リンク４０を取り付けてこれに倣い部材４１を装備するようにしたものである。この場合、後部のリンク４０と連動レバー４２とはリンク軸４３で同調して回転するものになっている。尚、支持ブラケット３８は、池幅方向に長く横架固定してもよい。【００１７】  図６および図７は他の実施形態を示す。４５は倣い部材で、その動きは、図６に矢印Ａで示すように円軌道で持ち上がるものとされ、その動きを利用してここでは倣い部材４５の後方域におけるスカムの掻き寄せ装置を構成してある。同装置は、倣い部材４５の後端から突き出す板バネ製の支持バネ４６と、同バネ４６の先端に備えたパイプ４７と、同パイプ４７に通された回転軸４８とを備えるとともに、回転軸４８回りに基部パイプ４９により回転自在にぶら下げたスカムスクレーパ５０と、回転軸４８回りに遊転自在に設けたローラー５１とを有する。そして、５２はストッパで、支持バネ４６の先端底面から突設されてスカム水排出樋の方向には回転するが逆方向には回転しないようになっている。スカムスクレーパ５０の端部上端には水平転換片５３が突設されている。【００１８】  側壁にはＬ型をしたガイド板５４がその突出板部が水平になるように固定されており、この突出する水平板部５５は、図７に示すように、復帰状態でのローラー５１よりも上にくるようになっている。
図６および図７の状態は、倣い部材４５が復帰している状態を示し、スカムスクレーパ５０は垂直な掻寄可能な状態にある。この状態から倣い部材４５が持ち上がると図７のようにローラー５１が水平板部５５の下側を矢印Ｂのように通り抜け、それと同時にスカムスクレーパ５０はスカムをスカム水排出樋の方向に送り込む。支持バネ４６は持ち上がるがそのバネ力で吸収し、水平板部５５を越えたところで矢印Ｃのように持ち上がるようになる。そのあと、倣い部材４５が戻されると、ローラー５１は水平板部５５上に持ち上がるとともに、水平転換片５３が水平板部５５上にきてスカムスクレーパ５０を水平にして非掻寄状態にしながら矢印Ｄのように戻される。水平転換片５３が水平板部５５を越えると、実線のようにもとの状態に復帰する。このようにスカムスクレーパ５０は、右方向にスカムを掻き寄せる一方、左方向に非掻寄状態で戻る。尚、図７に仮想線で示すように、スプロケット５６にはチェーン５７が掛けられて循環運動するが、同チェーン５７やスプロケット５６に付着する藻を除去ブラシ５８により除去するようにしてもよい。【００１９】  図８の実施形態は、スカム水排出樋６０に堰６１を備え、樋６０上に転換シーブ６２を配すとともに、堰６１のレバー６３にシーブ６４を備えてワイヤ６５をアンカーブラケット６６に結んだものであって、特に、堰６１の前側には水位追従堰６７を備えたものになっている。【００２０】  図９の実施形態は、スカム水排出樋６９の前側に備えた堰７０は前向きとされ、この堰７０が、ワイヤ７１により回転する連動レバー７２と、このレバー７２に係脱式クラッチ７３を介して押し下げロッド７４により押し下げられるようになっている。【００２１】  図１０の実施形態は、スカム水排出樋７６の前側にチューブ式の堰７７を備えて引き上げロッド７８で常時は引き上げて堰き止め状態とし、ワイヤ７９が牽かれると、連動レバー８０を介してロッド７８を降ろすことにより堰７７が水面より下がってスカム誘引状態とする。８１はフロートで、堰７７が一定以上下がるのを阻止する。８２はウエイトである。尚、ワイヤ７９が往復運動するのを利用してレバー８３によりバルブ８４を開閉し、開とすることでノズル８５…よりエアーおよび／または水を噴射してスカムを押し寄せるようにしてもよい。【００２２】  図１１の実施形態は、倣い部材８７のリンク８８から突出する連動レバー８９を下向きにし、ワイヤ（あるいはロッドなど）９０により堰９１を連動させるようにしたものである。【００２３】  図１２の実施形態は、フライト９３が池底に循環してくるのを利用して、所謂池底駆動に前記実施形態と同様の方式を適用したものである。フライト９３は、チェーン９４により池底を走行してくるが、同フライト９３に作動ローラー９５を備える一方、その前方に平行リンク９６による倣い部材９７を対向装備して蹴り上げるようにしたもので、リンク９６には、連動レバー９８を伸ばしたものである。池上のスカム水排出樋９９には、内倒れ式の堰１００を装備し、そのレバー１０１に一端を結合したワイヤ１０２をシーブ１０３を介して前記連動レバー９８に結合して連動関係としたものである。１０４はガイドパイプ、１０５は水位追従��である。この実施形態でも、リンク９６の固定シャフト１０６を池幅方向に亘るものとすることがある。【００２４】  図１３の実施形態は、堰１０７をスカム水排出樋１０８から張り出す所謂外倒れ式としたものに対し図１２のような倣い部材と平行リンクによる池底駆動方式を採用したものである。１０９はワイヤ（あるいはロッド）で、ガイドパイプ１１０で案内されるとともに、回転支点１１１から前方に突き出す作動アーム１１２にワイヤ１０９を結んであり、さらに、回転支点１１１を共通軸としてウエイト１１３付きの連動アーム１１４を押し下げるようにし、連動アーム１１４のクラッチ１１５を介して押し下げロッド１１６を押し下げることで堰１０７を下げてスカム誘引状態とするようにしたものである。【００２５】  図１４の実施形態は、スカム水排出樋１１８に備えた堰１１９をチューブ式のものとして連動アーム１２０の押し下げ力をクラッチ１２１と吊りロッド１２２により縮小状態のスカム誘引状態とすることができるもので、そのうえで図１２のような池底駆動方式を組み合わせたものである。１２３はワイヤ（あるいはロッド）、１２４はガイドパイプ、１２５は作動アーム、１２６はウエイトである。【００２６】  図１５および図１６（図１５のＶ−Ｖ線断面図）の実施形態は、連通トラフ１２９間にスカム水排出樋１３０を横架固定したものにチューブ式の堰１３１を吊り上げ装備したものに前記実施形態のような倣い部材および平行リンク方式による連動方式を組み合わせたものである。スカム水排出樋１３０の前縁には、Ｖ字形の堰受け１３２を固定し、これに乗り掛かるように堰１３１を配置して内部の押さえロッド１３３と図示しない止着具により下部を密閉状に固定する一方、堰１３１の上端は、内部の押さえロッド１３４と上カバー１３５とで止着具により取り付け構成し、上カバー１３５には長手方向２個所に切り欠き１３６を形成して堰１３１から一体に突出するチューブ式の上筒１３７を備えたものである。スカム水排出樋１３０の両側のフランジ１３８間には、横架パイプ１３９を固定し、同パイプ１３９には、ガイドバー１４０を結合して前記上筒１３７から堰１３１内に通じて上下運動を案内するようにしたものである。また、上カバー１３５に下端を連結したワイヤ１４３−Ａの一対を横架パイプ１３９に備えたシーブ１４１を経由してフランジ１３８外側のシーブ１４２を介して外部のウエイト１４５につないである。１４３−Ｂは連動ワイヤで、シーブ１４４を介してウエイト１４５につないである。【００２７】  前記作動ローラーが倣い部材にくるまでは、図１５および図１６の実線の堰き止め状態にある。この場合、ウエイト１４５が作用して倣い部材は下がっており、ワイヤ１３５−Ａ，Ｂが共に下向きに牽かれている。これにより、堰１３１は持ち上げられた堰き止め状態にある。一方、作動ローラーにより倣い部材が蹴り上げられると、ワイヤ１３５−Ｂが牽き上げられるとともにワイヤ１３５−Ａが緩み、それまで引き上げられていた堰１３１は図１６の仮想線のように撓み変形して潰された状態となってスカム誘引状態となる。作動ローラーが倣い部材を通過すると、ウエイト１４５が作用して元の堰き止め状態となる。【００２８】  図���７の実施形態は、池底駆動方式のスカム除去装置における復帰用のウエイト１４７の配備方式の一例を示す。池底をチェーン１４８により駆動されるフライト１４９に作動ローラー１５０を付し、これに対して、定点回転軸１５１回りに片持張り出し状に倣い部材１５２を備え、同倣い部材１５２に同調回転する連動アーム１５３に縦長状のウエイト１４９を介してワイヤ１５４を連結し、同ワイヤ１５４をシーブ１５５を介してチューブ式の堰１５６の吊り上げたものである。堰はチューブ方式に限定されず前記各実施形態のいずれの方式でもよい。尚、図１７において、堰１５６の長手方向は紙面に直交する方向であるが、便宜のため図の向きにしてある。【００２９】  図１８の実施形態は、平行リンク１５８に倣い部材１５９を設けこれに連動アーム１６０を備えるとともに、同アーム１６０上にウエイト１６１を介してワイヤ１６２を設けたものである。【００３０】  図１９から図２１の実施形態は、フライト１６４に作動ローラー１６５を備える一方、スカム水排出樋１６６にウエイト１６７付きの堰１６８を備え、樋１６６上に転換シーブ１６９を備えたもので、特に、倣い部材である作動レバー１７０を第１レバー軸１７１回りに備えて作動ローラー１６５に対向状にぶら下げ、作動レバー１７０の上側の連動レバー１７２にワイヤ１７３の一端を連結して他端を堰１６８の堰レバー１７４に連結してある。連動レバー１７２と固定側にはマグネット組（保持機構）１７５を図１９のように相離間して対向配置してあるとともに、第１レバー軸１７１より後方には、第２レバー軸１７６を備えてその回りに解除用レバー１７７をぶら下げて連動レバー１７２との間に解除連動ワイヤ（リンクでもよい）１７８を連結してある。【００３１】  図１９は作動ローラー１６５が作動レバー１７０に未だ接触していないせき止め状態であり、そののち、作動ローラー１６５が図２０の仮想線のように作動レバー１７０を蹴り上げると、ワイヤ１７３により堰１６８が下がってスカムを呑み込むようになると同時に、マグネット組１７５が吸着してその堰き止め状態を保持する。その状態は作動ローラー１６５が解除用レバー１７７に当るまで続き、ローラー１６５が図２１のようにレバー１７７を蹴り上げることで解除連動ワイヤ１７８により連動レバー１７２が牽かれてマグネット組１７５が離脱する。それと同時に、ワイヤ１７３により堰１６８は浮き上がって堰き止め状態に戻される。【００３２】  図２２から図２４の実施形態も同じく保持機構と解除機構を備えたもので、作動レバー１８０の上側の連動レバー１８１に連結されたワイヤ１８２を転換シーブ１８３を介して堰１８４に連結し、連動レバー１８１の上端に係合ローラー１８５を備えてその近くに支点１８６回りに上下する保持片１８７を配備した。保持片１８７の下部には、係合ローラー１８５の嵌まり込む係合溝１８８が形成されている。解除用レバー１８９と保持片１８７側とは解除連動ワイヤ１９０が連結されている。１９１はストッパである。【００３３】  図２２の堰き止め状態から作動ローラー１９２が作動レバー１８０を蹴り上げると、係合ローラー１８５が保持片１８７を持ち上げるとともに係合溝１８８に嵌まり込む。それと同時に堰１８４が下がり、スカム誘引状態になる。図２３のように作動ローラー１９２が進行すると、解除用レバー１８９が蹴り上げられ、ワイヤ１９０を介して保持片１８７が持ち上げられることで堰１８４は持ち上がり、図２４のように堰き止め状態に戻る。【００３４】  図２５から図２８に示す実施形態は、フライト１９４に作動ローラー１９５を付してその進行に伴ってスカム水排出樋１９６の堰１９７を浮沈制御する他の実施形態で、堰１９７はウエイト１９８で浮上復帰するとともにその上端から突出するレバー１９９の上端にローラー２００を備えるものになっている。スカム水排出樋１９６の後上端には後部シーブ２０２が固定され、これに対向する前方位置にも前部シーブ２０３が設けられ、これらの間にはワイヤ（あるいはプレートチェーン、リンクチェーン、タイミングベルトなど）２０４が掛け渡されている。【００３５】  前方には、第１支点２０５を介して作動レバー２０６が垂下され、その上部の連動レバー２０７は、ワイヤ２０４の上回りの前方に配備した第１突起Ｐに上下・揺動可能な形で係合している。作動レバー２０６は作動ローラー１９５に対向する。第１支点２０５の後方には第２支点２０８が設けられ、これを介して復帰用作動レバー２０９が作動ローラー１９５に対向可能に垂下されるとともに、上部の復帰用連動レバー２１０がワイヤ２０４の第２突起Ｓに係合している。そして、ワイヤ２０４の後方のローラー２００手前位置には、前後が斜面でその間が凹みになったカム板２１３が取り付けられている。このカム板２１３が進退する間に対応する固定側に板受け２１４が設けられている。【００３６】  図２６は作動ローラー１９５が作用せず堰１９７が浮上して堰き止め状態にある場合を示している。作動ローラー１９５が図２６のように作動レバー２０６を蹴り上げるとその上部の連動レバー２０７が第１突起Ｐを介してワイヤ２０４を左回りに駆動させ、それとともに下回りのカム板２１３は逆の右方向に移動してローラー２００を介して堰１９７を大きく押し下げるようになる。図２７のように作動ローラー１９５が作動レバー２０６を一杯まで蹴ると、ローラー２００はカム板２１３の凹み内に嵌まり込み、堰１９７は少し浮き上がってスカムを呑み込む。作動ローラー１９５が作動レバー２０６を越えて次の復帰用作動レバー２０９に辿り付くまでは長くその間堰１９７はスカム誘引状態に保持される。作動ローラー１９５が図２８のように復帰用作動レバー２０９にあたるとワイヤ２０４は逆回りに周回することになり、これにより、カム板２１３が左方向に戻るので、ローラー２００を介して堰１９７はウエイト１９８で浮上復帰することになる。【００３７】  図２９ないし図３１の実施形態は、スカム水排出樋２１６にウエイト２１７付きの堰２１８を備え、堰２１８にレバー２１９とローラー２２０を備えるとともに、スカム水排出樋２１６の後部上に後部シーブ２２１を備えてワイヤ２２２を掛け渡したものであって、特に、スカム水排出樋２１６上に後部架台２２３をまた側壁から前部架台２２４を突設してワイヤ２２２を囲うようにローラーガイド２２５を固定し、同ガイド２２５に添って進退するようにワイヤ２２２間に取り付けたカム板２２６���ローラー２２７…で案内するようにしてある。カム板２２６は、凹み２２８と係合溝２２９を備えるものでなる。【００３８】  尚、ローラーガイド２２５は、前部架台２２４に代えて図２９の仮想線のようにスカム水排出樋２１６の側フランジ２３０から突設した側ブラケット２３１を利用した固定方法にしてもよい。この側ブラケット２３１の１個あるいは複数個のみでローラーガイド２２５を固定することもできる。また、堰２１８は、三角形をした中空状の先端部分を有し浮力を発生するようになっているが、これに限定されない。【００３９】  図２９および図３０の左側には、図２５に示すと同様なレバー機構が構成されており、これらの図では、堰２１８が水面より浮き出した堰き止め状態にある。そして、図２６のように作動ローラー１９５が連動レバー２０７を蹴ることで図３０のワイヤ２２２の下回りが右の方向に駆動されることで、カム板２２６も右方向に移動して堰２１８を大きく押し下げてのち、ローラー２２０が凹み２２８内に入り込むようになることで、堰２１８は少し持ち上がりつつもスカム誘引力を強める状態となる。さらにカム板２２６がローラー２２７により円滑にかつ水平に安定移動すると、図３１に示すようにローラー２２０が係合溝２２９内に軽度にロックされるように嵌まり込むようになる。これがスカム誘引状態での保持状態である。この保持状態は、図２８におけるように作動ローラー１９５が復帰用作動レバー２０９に当るまで長く継続される。図２８のように作動ローラー１９５が復帰用作動レバー２０９を蹴るようになると、図３１のワイヤ２２２およびカム板２２６は左方向に戻されようになり、そうなるとローラー２２０がカム板２２６から外れてウエイト２１７の作用で堰２１８は持ち上げられて堰き止め状態に戻される。尚、凹み２２８と係合溝２２９とは１つにまとめてもよい。【００４０】  図３２の実施形態は、図２５や図３０のような装置において、作動ローラーにより応動しワイヤ２３３を戻し駆動させるための復帰用作動・連動レバー２３４，２３５の作動タイミングを事後調節できるようにした装置を示す。
２３６は調節受け具で、四角筒状のもので側壁に水平状に固定されている。この受け具２３６自体を水平方向に進退移動調節可能にしてもよい。同受け具２３６の中には、レバー２３４，２３５の軸２３６を取り付けたスライダ２３７が水平方向に進退自在に設けられ、その後部にはボルト２３８が螺合するネジ孔２３９が形成されている。そして、ボルト２３８は、固定スリーブ２４０に進退できない状態で回転自在に支持されるとともに池上からの操作レバー２４１の往復操作によりラチェット装置２４２を介して逐次いずれかの方向に回転駆動されるようになっている。これにより、スライダ２３７は池上からの操作で矢印のように前後いずれにも進退調節可能であり、その結果、事後において作動レバー２３４が作動ローラーに当たるタイミングを変更することができるようになる。なお、突起２４３を備えた調節ピース２４４を止着具２４５により移動調節可能にしてもよい。このようにタイミングを調節可能にすることで、スカム誘引時間を長短に変更できる。【００４１】  図３３の実施形態は、定点の回転支点軸２４８の回りに作動ローラー２４９に応動する１点支持方式の倣い部材（作動レバー）２５０を装備したもので、この倣い部材２５０は、平坦な板状部分ｂとその前後の湾曲した曲げ板部分ａ、ｃとでなって作動ローラー２４９が進行する方向に下がり傾斜状に設けられている。同倣い部材２５０の上側は連動レバー２５１になっていてワイヤ２５２で堰側と連動関係になっている。【００４２】  実線は堰き止め状態に対応し、作動ローラー２４９が部分ａにあたることで倣い部材２５０は持ち上がり始め、部分ｂに達すると仮想線のように倣い部材２５０は水平状態になり、そのときワイヤ２５２により堰は水面以下になってスカム誘引状態になる。作動ローラー２４９が部分ｂの底にくると倣い部材２５０はそれ以上持ち上がらず堰の下降位置が変わらない保持状態となり、これにより、図のように作動ローラー２４９が長い部分ｂを通過する間スカム誘引状態が継続される。倣い部材２５０をウエイト機能のあるものにしてもよい。また、仮想線のように、倣い部材２５０の上面に持ち上げ時に堰の方向に下がり傾斜した状態を維持するスカム送り面２５３を設けて倣い部材２５０の持ち上がりとともに水面のスカムを送りやるようにしてもよい。只、部分ａおよびｃはスカム送りの支障になることも考えれるので、特に部分ａは、スカムの進行に支障のない縦面板状部分ａ′に形成すればよい。部分ｃについては、可及的に省略してもよい。
【発明の効果】
【００４３】  この発明によれば、スカムの呑み込みがより長い時間帯をもって効率的になされるようにしたスカム除去装置を提供することができる。
【図面の簡単な説明】
【図１】  この発明の一実施形態を示すスカ厶除去装置の平面図。
【図２】  図１のＩＩ−ＩＩ線断面図。
【図３】  図１のスカム除去装置の作用を示す側断面図。
【図４】  倣い部材および連動機構を示す斜視図。
【図５】  他の実施形態を示す側面図。
【図６】  倣い部材にスカム送り装置を組み合わせた実施形態を示す斜視図。
【図７】  図６の側面作用図。
【図８】  他の実施形態を示す側断模式図。
【図９】  他の実施形態を示す側断模式図。
【図１０】  他の実施形態を示す側断模式図。
【図１１】  他の実施形態を示す側断模式図。
【図１２】  他の実施形態を示す側断模式図。
【図１３】  他の実施形態を示す側断模式図。
【図１４】  他の実施形態を示す側断模式図。
【図１５】  チューブ式堰を装備した他の実施形態を示す装置正面図。
【図１６】  図１５のＶ−Ｖ線断面図。
【図１７】  他の実施形態を示す側断模式図。
【図１８】  他の実施形態を示す側断模式図。
【図１９】  マグネット保持機構とその解除機構を構成した他の実施形態を示す側断模式図。
【図２０】  図１９の装置の作用説明図。
【図２１】  図１９の装置の作用説明図。
【図２２】  保持片に一時係合させる他の実施形態を示す側断模式図。
【図２３】  図２２の作用説明図。
【図２４】  図２２の作用説明図。
【図２５】  循環往復駆動方式により保持機構と解除機構を構成した他の実施形態を示す側断模式図。
【図２６】  図２５の作用説明図。
【図２７】  図２５の作用説明図。
【図２８】  図２５の作用説明図。
【図２９】  他の実施形態を示す平面図。
【図３０】  図２９の側断面図。
【図３１】  図３０の作用を説明する側断面図。
【図３２】  他の実施形態を示す縦断面図。
【図３３】  他の実施形態を示す側面模式図。
【符号の説明】
１…沈澱池  ２…側壁  ５…チェーン  ６…フライト  ７…水面  ８…スカム水排出樋  １０…堰  １３…転換シーブ  １５…作動ローラー  １６…倣い部材  １９…平行リンク  ２１…固定シャフト  ２２…回転パイプ  ２６…連動レバー  ２７…連動ワイヤ。
【図１】
2005066583.tif 000003
【図２】
2005066583.tif 000004
【図３】
2005066583.tif 000005
【図４】
2005066583.tif 000006
【図５】
2005066583.tif 000007
【図６】
2005066583.tif 000008
【図７】
2005066583.tif 000009
【図８】
2005066583.tif 000010
【図９】
2005066583.tif 000011
【図１０】
2005066583.tif 000012
【図１１】
2005066583.tif 000013
【図１２】
2005066583.tif 000014
【図１３】
2005066583.tif 000015
【図１４】
2005066583.tif 000016
【図１５】
2005066583.tif 000017
【図１６】
2005066583.tif 000018
【図１７】
2005066583.tif 000019
【図１８】
2005066583.tif 000020
【図１９】
2005066583.tif 000021
【図２０】
2005066583.tif 000022
【図２１】
2005066583.tif 000023
【図２２】
2005066583.tif 000024
【図２３】
2005066583.tif 000025
【図２４】
2005066583.tif 000026
【図２５】
2005066583.tif 000027
【図２６】
2005066583.tif 000028
【図２７】
2005066583.tif 000029
【図２８】
2005066583.tif 000030
【図２９】
2005066583.tif 000031
【図３０】
2005066583.tif 000032
【図３１】
2005066583.tif 000033
【図３２】
2005066583.tif 000034
【図３３】
2005066583.tif 000035